(57)【要約】【課題】  ユーザがチャンネルを選択する際に、単純な操作で、ユーザの嗜好に合った受信方向を瞬時に決定することができる放送受信装置およびそれを備えたテレビを提供する。【解決手段】  チューナ１６は、アンテナ３０を介して受信する複数のチャンネルを含む放送信号の中から、選択したチャンネルに対応する放送信号を抽出する。制御部１０は、ユーザによるチャンネルの選択時に、受信方向切換部２４に対して、所定時間ごとに受信方向の順次切換えの指示を行なわせる方向検索制御を行ない、それによりデコーダ１８，２０，２２によって順次生成された映像信号および音声信号をテレビ４０に表示させ、ユーザから方向変更停止指令が入力されたときに、方向検索制御を中止し、選択中の受信方向を選択されているチャンネルについてのアンテナ３０の受信方向として決定する。【選択図】        図１
2006042158.tif 000002
【特許請求の範囲】
【請求項１】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
ユーザによるチャンネルの選択時に、前記指令手段に対して、所定時間ごとに受信方向の順次切換えの指示を行なわせる方向検索制御を行ない、それにより前記信号処理手段によって順次生成された映像信号および音声信号を表示させ、ユーザから方向変更停止指令が入力されたときに、前記方向検索制御を中止し、選択中の受信方向を前記選択されているチャンネルについての前記受信アンテナの受信方向として決定する制御手段とを備え、
前記制御手段は、前記信号処理手段で生成された映像信号および／または音声信号に基づき、選択している受信方向の受信可能性を判定し、
前記制御手段は、前記判定によって受信不可能とされた受信方向が選択されているときには、前記所定時間を待たずに、即座に前記指令手段に対して、受信方向の切換えの指示を行なわせ、
前記制御手段は、前記方向検索制御を全方位について所定回数繰返してもユーザから前記方向変更停止指令が入力されない場合に、前記判定によって受信可能とされた受信方向が存在するときに、前記方向検索制御を中止し、前記受信可能とされた受信方向を前記選択されているチャンネルについての前記受信アンテナの受信方向として決定し、
前記制御手段は、前記判定によって受信可能とされた受信方向を前記選択されているチャンネルについての前記受信アンテナの受信方向として決定したときには、自動で受信方向を決定した旨のメッセージを表示する信号を生成する、放送受信装置。
【請求項２】
指向性の切換えが可能な受信アンテナに対して、受信方向の切換えを指示する指令手段と、
前記受信アンテナを介して受信する複数のチャンネルを含む放送信号の中から、選択したチャンネルに対応する放送信号を抽出する選局手段と、
前記選局手段から受けた放送信号から映像信号および音声信号を生成する信号処理手段と、
ユーザによるチャンネルの選択時に、前記指令手段に対して、所定時間ごとに受信方向の順次切換えの指示を行なわせる方向検索制御を行ない、それにより前記信号処理手段によって順次生成された映像信号および音声信号を表示させ、ユーザから方向変更停止指令が入力されたときに、前記方向検索制御を中止し、選択中の受信方向を前記選択されているチャンネルについての前記受信アンテナの受信方向として決定する制御手段とを備えた放送受信装置。
【請求項３】
前記制御手段は、前記信号処理手段で生成された映像信号および／または音声信号に基づき、選択している受信方向の受信可能性を判定し、
前記制御手段は、前記判定によって受信不可能とされた受信方向が選択されているときには、前記所定時間を待たずに、即座に前記指令手段に対して、受信方向の切換えの指示を行なわせる、請求項２記載の放送受信装置。
【請求項４】
前記制御手段は、前記信号処理手段で生成された映像信号および／または音声信号に基づき、選択している受信方向の受信可能性を判定し、
前記制御手段は、前記方向検索制御を全方位について所定回数繰返してもユーザから前記方向変更停止指令が入力されない場合に、前記判定によって受信可能とされた受信方向が存在するときに、前記方向検索制御を中止し、前記受信可能とされた受信方向を前記選択されているチャンネルについての前記受信アンテナの受信方向として決定する、請求項２記載の放送受信装置。
【請求項５】
前記制御手段は、前記判定によって受信可能とされた受信方向を前記選択されているチャンネルについての前記受信アンテナの受信方向として決定したときには、自動で受信方向を決定した旨のメッセージを表示する信号を生成する、請求項４記載の放送受信装置。
【請求項６】
前記制御手段は、前記信号処理手段で生成された映像信号および／または音声信号に基づき、選択している受信方向の受信可能性を判定し、
前記制御手段は、前記方向検索制御を全方位について所定回数繰返してもユーザから前記方向変更停止指令が入力されない場合に、前記判定によって受信可能とされた受信方向が存在しないときに、前記方向検索制御を中止し、自動で受信方向を決定できなかった旨のメッセージを表示する信号を生成する、請求項２記載の放送受信装置。
【請求項７】
前記制御手段は、前記信号処理手段で生成された映像信号および／または音声信号に基づき、選択している受信方向の受信可能性を判定し、
前記制御手段は、前記方向検索制御を全方位について所定回数繰返してもユーザから前記方向変更停止指令が入力されない場合に、前記判定によって受信可能とされた受信方向が存在しないときに、前記方向検索制御を続行し、自動で受信方向を決定できなかった旨のメッセージを表示する信号を生成する、請求項２記載の放送受信装置。
【請求項８】
前記制御手段は、ユーザから前記方向変更停止命令が入力されるまで、前記方向検索制御を中止しない、請求項２記載の放送受信装置。
【請求項９】
前記制御手段は、ユーザから第１または第２のモードの選択を受付けて、
前記制御手段は、第１のモードが選択されたときには、前記方向検索制御を全方位について所定回数繰返してもユーザから前記方向変更停止指令が入力されない場合に、前記判定によって受信可能とされた受信方向が存在するときに、前記方向検索制御を中止し、前記受信可能とされた受信方向を前記選択されているチャンネルについての前記受信アンテナの受信方向として決定し、
前記制御手段は、第２のモードが選択されたときには、ユーザから前記方向変更停止命令が入力されるまで、前記方向検索制御を中止しない、請求項２記載の放送受信装置。
【請求項１０】
請求項１〜９のいずれか１項に記載の放送受信装置を備えたテレビ。
【発明の詳細な説明】
【技術分野】
【０００１】
この発明は放送受信装置およびそれを備えたテレビに関し、特に指向性の切換えが可能なアンテナを使用する放送受信装置およびそれを備えたテレビに関する。
【背景技術】
【０００２】
テレビ放送には、ＶＨＦ（Very High Frequency）およびＵＨＦ（Ultra High Frequency）の周波数帯域が割当てられている。一般的に、テレビ放送の信号受信には八木アンテナが用いられる。
【０００３】
八木アンテナは、反射器、放射器および導波器で構成されており、反射器の働きにより導波器側へ強い指向性を有し、利得も大きいといった長所がある。
【０００４】
良好な受信ができるように、八木アンテナは、放送局の方向とその指向性を一致するように設置される。一般的には、家屋の屋根等に固定して設置されるので、一旦設置されてしまうと、その指向性を変更することは容易ではない。
【０００５】
そのため、複数の放送局が分散して存在している場合には、その指向性に応じた特定の方向にある放送局の放送信号しか受信できなかった。
【０００６】
そこで、指向性を複数種類に切換えて、分散して存在する各放送局からの電波を受信できるスマートアンテナが考案されている。
【０００７】
このスマートアンテナは、複数のアンテナ素子で構成され、各アンテナ素子を適当な振幅および位相により励振することで指向性を切換えることができる。
【０００８】
したがって、上述のスマートアンテナを用いることで、放送局が分散して存在している場合でも各放送局からの電波が受信可能となる。
【０００９】
特許文献１には、複数の八木アンテナに対して位相差給電を行なうことで、指向性を変更できるアンテナが示されている。
【００１０】
また、特許文献２には、リモコンによるチャンネル選択によって、当該チャンネルに対応するようにアンテナの指向性を調整するアンテナ切換器が示されている。
【特許文献１】特開平１１−３３０８４０号公報
【特許文献２】特開２００１−１６８６２７号公報
【発明の開示】
【発明が解決しようとする課題】
【００１１】
ところで、スマートアンテナの受信方向を決定する方法には、「自動決定方法」と「手動（マニュアル）決定方法」とがある。
【００１２】
「自動決定方法」は、放送受信装置が自動でアンテナの受信方向を切換ながら、受信した放送信号を信号処理して、適切な受信方向を決定する方法である。
【００１３】
また、「手動決定方法」は、ユーザが手動でアンテナの受信方向を切換える指令を与えながら、表示される映像を見て、所望の受信方向を選択する方法である。
【００１４】
「自動決定方法」によれば、アンテナの受信方向を切換える指令を与える操作が不要となるが、ユーザの嗜好に合った受信方向を選択することができない。また、受信した放送信号から適切な受信方向を決定するための信号処理に時間を要する場合がある。
【００１５】
一方、「手動決定方法」によれば、ユーザの嗜好に合った受信方向を選択することができ、表示された映像を見てから瞬時に受信方向を決定できるが、ユーザが受信方向を切換える指令を与えなければならず、操作が複雑となる。
【００１６】
そこで、この発明は、かかる問題を解決するためになされたものであり、その目的は、ユーザがチャンネルを選択する際に、単純な操作で、ユーザの嗜好に合った受信方向を瞬時に決定することができる放送受信装置およびそれを備えたテレビを提供することである。
【課題を解決するための手段】
【００１７】
本発明のある局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、ユーザによるチャンネルの選択時に、指令手段に対して、所定時間ごとに受信方向の順次切換えの指示を行なわせる方向検索制御を行ない、それにより信号処理手段によって順次生成された映像信号および音声信号を表示させ、ユーザから方向変更停止指令が入力されたときに、方向検索制御を中止し、選択中の受信方向を選択されているチャンネルについての受信アンテナの受信方向として決定する制御手段とを備え、制御手段は、信号処理手段で生成された映像信号および／または音声信号に基づき、選択している受信方向の受信可能性を判定し、制御手段は、判定によって受信不可能とされた受信方向が選択されているときには、所定時間を待たずに、即座に指令手段に対して、受信方向の切換えの指示を行なわせ、制御手段は、方向検索制御を全方位について所定回数繰返してもユーザから方向変更停止指令が入力されない場合に、判定によって受信可能とされた受信方向が存在するときに、方向検索制御を中止し、受信可能とされた受信方向を選択されているチャンネルについての受信アンテナの受信方向として決定し、制御手段は、判定によって受信可能とされた受信方向を選択されているチャンネルについての受信アンテナの受信方向として決定したときには、自動で受信方向を決定した旨のメッセージを表示する信号を生成する。
【００１８】
また、本発明の別の局面に係る放送受信装置は、指向性の切換えが可能な受信アンテナに対して、受信方向の切換えを指示する指令手段と、受信アンテナを介して受信する複数のチャンネルを含む放送信号の中から、選択したチャンネルに対応する放送信号を抽出する選局手段と、選局手段から受けた放送信号から映像信号および音声信号を生成する信号処理手段と、ユーザによるチャンネルの選択時に、指令手段に対して、所定時間ごとに受信方向の順次切換えの指示を行なわせる方向検索制御を行ない、それにより信号処理手段によって順次生成された映像信号および音声信号を表示させ、ユーザから方向変更停止指令が入力されたときに、方向検索制御を中止し、選択中の受信方向を選択されているチャンネルについての受信アンテナの受信方向として決定する制御手段とを備える。
【００１９】
好ましくは、制御手段は、信号処理手段で生成された映像信号および／または音声信号に基づき、選択している受信方向の受信可能性を判定し、制御手段は、判定によって受信不可能とされた受信方向が選択されているときには、所定時間を待たずに、即座に指令手段に対して、受信方向の切換えの指示を行なわせる。
【００２０】
好ましくは、制御手段は、信号処理手段で生成された映像信号および／または音声信号に基づき、選択している受信方向の受信可能性を判定し、制御手段は、方向検索制御を全方位について所定回数繰返してもユーザから方向変更停止指令が入力されない場合に、判定によって受信可能とされた受信方向が存在するときに、方向検索制御を中止し、受信可能とされた受信方向を選択されているチャンネルについての受信アンテナの受信方向として決定する。
【００２１】
好ましくは、制御手段は、判定によって受信可能とされた受信方向を選択されているチャンネルについての受信アンテナの受信方向として決定したときには、自動で受信方向を決定した旨のメッセージを表示する信号を生成する。
【００２２】
好ましくは、制御手段は、信号処理手段で生成された映像信号および／または音声信号に基づき、選択している受信方向の受信可能性を判定し、制御手段は、方向検索制御を全方位について所定回数繰返してもユーザから方向変更停止指令が入力されない場合に、判定によって受信可能とされた受信方向が存在しないときに、方向検索制御を中止し、自動で受信方向を決定できなかった旨のメッセージを表示する信号を生成する。
【００２３】
好ましくは、制御手段は、信号処理手段で生成された映像信号および／または音声信号に基づき、選択している受信方向の受信可能性を判定し、制御手段は、方向検索制御を全方位について所定回数繰返してもユーザから方向変更停止指令が入力されない場合に、判定によって受信可能とされた受信方向が存在しないときに、方向検索制御を続行し、自動で受信方向を決定できなかった旨のメッセージを表示する信号を生成する。
【００２４】
好ましくは、制御手段は、ユーザから方向変更停止命令が入力されるまで、方向検索制御を中止しない。
【００２５】
好ましくは、制御手段は、ユーザから第１または第２のモードの選択を受付けて、制御手段は、第１のモードが選択されたときには、方向検索制御を全方位について所定回数繰返してもユーザから方向変更停止指令が入力されない場合に、判定によって受信可能とされた受信方向が存在するときに、方向検索制御を中止し、受信可能とされた受信方向を選択されているチャンネルについての受信アンテナの受信方向として決定し、制御手段は、第２のモードが選択されたときには、ユーザから方向変更停止命令が入力されるまで、方向検索制御を中止しない。
【００２６】
また、本発明の別の局面に係るテレビは、上述のいずれかの放送受信装置を備える。
【発明の効果】
【００２７】
ユーザがチャンネルを選択する際に、単純な操作で、ユーザの嗜好に合った受信方向を瞬時に決定することができる。
【発明を実施するための最良の形態】
【００２８】
この発明の実施の形態について、図面を参照しながら詳細に説明する。なお、図中の同一または相当部分については、同一符号を付してその説明は繰返さない。
【００２９】
［実施の形態１］
（放送受信装置の構成）
図１は、この発明の実施の形態１に従う放送受信装置の概略構成図である。
【００３０】
図１を参照して、この発明の実施の形態１に従う放送受信装置１は、スマートアンテナ３０から放送信号を受信し、スマートアンテナ３０に対して受信方向切換信号を出力する。また、放送受信装置１は、テレビ４０に対して映像信号および音声信号を出力する。さらに、放送受信装置１は、リモコン４２から指令信号を受信する。
【００３１】
スマートアンテナ３０は、放送受信装置１から受信方向切換信号を受けて、各アンテナ素子に対する励振を変化させて指向性を切換える。
【００３２】
テレビ４０およびリモコン４２は、周知であるので詳細な説明は省略する。
【００３３】
放送受信装置１は、制御部１０と、チューナ１６と、デジタルデコーダ１８と、ＭＰＥＧデコーダ２２と、受信方向切換部２４と、リモコン受信部２６とからなる。
【００３４】
制御部１０は、プログラムを実行するＣＰＵ（Central Processing Unit）１０ａと、実行されるプログラム、プログラム実行中のデータ、およびプログラム実行結果のデータを記憶するメモリ１０ｂとからなる。
【００３５】
チューナ１６は、受信した放送信号の中から、制御部１０からの指令に応じて選択されたチャンネルに対応する放送信号を抽出して、デジタルデコーダ１８へ出力する。
【００３６】
デジタルデコーダ１８は、チューナ１６から放送信号を受けて、映像および音声の信号であるＭＰＥＧ信号に復号し、そのＭＰＥＧ信号をＭＰＥＧデコーダ２２へ出力する。
【００３７】
ここで、デジタルテレビ放送信号は、リード・ソロモン符号および畳み込み符号で符号化されて送信される。そのため、デジタルデコーダ１８は、上述の復号処理において誤り訂正ができる。この誤り訂正の処理過程において、デジタルデコーダ１８は、受信した放送信号の受信データ誤り率を演算し、その受信データ誤り率を制御部１０へ出力する。このとき、デジタルデコーダ１８は、受信した放送信号に含まれる所定のデータ数毎に誤り訂正を行なうので、受信開始から１フレーム（１／３０秒）以内で受信データ誤り率の演算ができる。
【００３８】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。いずれの方式においても、放送信号は符号化されて送信されるため、誤り訂正が可能であり、その処理過程において受信データ誤り率が演算できる。したがって、この発明の実施の形態１におけるデジタルデコーダ１８は、上述のいずれの方式を用いてもよい。
【００３９】
アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００４０】
ここで、アナログテレビ放送信号には、走査線の水平走査および垂直走査を制御するために、水平同期信号および垂直同期信号が含まれている。アナログデコーダ２０は、映像信号の復号を行なうために、上述の水平同期信号および垂直同期信号を捕捉する必要がある。
【００４１】
なお、水平同期信号は、垂直同期信号に対して十分に周波数が高い。そのため、水平同期信号は、垂直同期信号に比較して、ノイズ等の影響を受けやすい。つまり、水平同期信号を捕捉できたか否かで受信状態を判断することができる。
【００４２】
水平同期信号を捕捉するにあたり、アナログデコーダ２０は、受信した放送信号に対して、雑音除去処理、周波数分離処理、同期信号分離処理および整形増幅処理等を行なう。それゆえ、受信開始から水平同期信号の捕捉までには、上述のデジタルデコーダ１８における受信データ誤り率の演算に比較して、多くの時間を要する。
【００４３】
なお、アナログテレビ放送は、日本や米国等のＮＴＳＣ（National System Committee）方式の他に、ドイツやイギリス等のＰＡＬ（Phase Alternation by Line）方式およびフランス等のＳＥＣＡＭ（Sequentiel Couleur a Memoire）方式があるが、いずれの方式においても放送信号に水平同期信号が含まれているため、水平同期信号の捕捉の可否により受信状態を判断できる。
【００４４】
したがって、この発明の実施の形態１におけるアナログデコーダ２０は、上述のいずれの方式を用いてもよい。
【００４５】
ＭＰＥＧデコーダ２２は、制御部１０からの指令に応じて選択した、デジタルデコーダ１８またはアナログデコーダ２０から受けた信号を映像信号および音声信号に復号してテレビ４０へ出力する。
【００４６】
ＭＰＥＧデコーダ２２は、さらにＯＳＤ（On Screen Display）２２ａを備える。
【００４７】
ＯＳＤ２２ａは、制御部１０からの指令に応じて、テレビ４０の画面上に情報を表示するための信号を生成する。
【００４８】
ＭＰＥＧデコーダ２２は、ＯＳＤ２２ａで信号が生成された場合には、復号した映像信号と、ＯＳＤ２２ａが生成した信号とを合成した後、合成した信号をテレビ４０へ出力する。
【００４９】
受信方向切換部２４は、制御部１０からの指令に応じて、受信方向切換信号をスマートアンテナ３０へ出力する。
【００５０】
リモコン受信部２６は、リモコン４２からの指令を受信して制御部１０へ出力する。ユーザは、所望の動作を行なわせるためリモコン４２を用いて、指令を送信する。
【００５１】
（受信方向について）
実施の形態１では、スマートアンテナ３０は、指向性を切換えることにより水平面に対して１６分割された各方向に受信方向を変更できるとして説明する。
【００５２】
図２は、この発明の実施の形態１に従うスマートアンテナの受信方向切換図である。簡単化のため、図２に示すように時計回り（正の回転方向）に１，２，・・・，１６と各受信方向に番号付けを行なう。
【００５３】
（選局時の方向検索）
ユーザがチャンネルを選択したとき（選局時）に、選択したチャンネルについてのスマートアンテナ３０の受信方向を取得する処理について説明する
図３は、この発明の実施の形態１に従う選局時の受信方向を決定するプログラムのフローチャートである。
【００５４】
図３を参照して、制御部１０は、リモコン４２を通じてユーザから選局指令、すなわちチャンネルの選択を受け、選択されたチャンネルをチューナ１６に通知する（ステップＳ１０１）。
【００５５】
制御部１０は、ＯＳＤ２２ａを指示して、選択しているチャンネルの受信方向の設定に関する情報を表示させる（ステップＳ１０２）。
【００５６】
図４は、選択しているチャンネルの受信方向の設定に関する情報を表示した画面の例を示す図である。
【００５７】
図４を参照して、テレビ４０に、選択しているチャンネルの受信方向をサーチする旨のメッセージ９６と、希望の受信方向がきたときにストップキーを入力すること促すメッセージ９７とが表示される。
【００５８】
次に、制御部１０は、繰返し回数Ｎを「１」に設定する（ステップＳ１０３）。
【００５９】
次に、制御部１０は、受信方向番号が「１」である先頭の受信方向を選択する（ステップＳ１０４）。
【００６０】
受信方向切換部２４は、選択された受信方向への切換信号をスマートアンテナ３０へ出力する。スマートアンテナ３０は、受信方向切換部２４から受信方向切換信号を受けて、各アンテナ素子に対する励振を変化させて指向性を切換える。
【００６１】
チューナ１６は、スマートアンテナ３０から受信した放送信号の中から、制御部１０から通知されたチャンネルに対応する放送信号を抽出する。チューナ１６は、選択しているチャンネルがデジタル放送のチャンネルの場合（ステップＳ１０５でＹＥＳの場合）には、抽出した放送信号をデジタルデコーダ１８へ出力するとともに、ＭＰＥＧデコーダ２２にデジタルデコーダ１８からの出力を選択させる。また、チューナ１６は、選択しているチャンネルがアナログ放送のチャンネルの場合（ステップＳ１０５でＮＯの場合）には、抽出した放送信号をアナログデコーダ２０へ出力するとともに、ＭＰＥＧデコーダ２２にアナログデコーダ２０からの出力を選択させる。
【００６２】
選択しているチャンネルがデジタル放送のチャンネルの場合（ステップＳ１０５でＹＥＳの場合）に、デジタルデコーダ１８は、チューナ１６から放送信号を受けて、ＭＰＥＧ信号に復号する。また、デジタルデコーダ１８は、受信データ誤り率の演算を行い、その受信データ誤り率を制御部１０へ出力する。
【００６３】
選択しているチャンネルがアナログ放送のチャンネルの場合（ステップＳ１０５でＮＯの場合）に、アナログデコーダ２０は、チューナ１６から放送信号を受けて、映像および音声の信号へ復号した後に、デジタル化した映像音声信号をＭＰＥＧデコーダ２２へ出力する。また、アナログデコーダ２０は、水平同期信号の捕捉の可否を制御部１０へ出力する。
【００６４】
制御部１０は、選択されているチャンネルがデジタル放送のチャンネルの場合（ステップＳ１０５においてＹＥＳの場合）には、受信可否を判断するため、受信データ誤り率が規定値以下か否かを判断する（ステップＳ１０６）。本発明の実施形態においては、一例として規定値を１０％として、制御部１０は、受信データ誤り率が１０％以下であれば、受信可能と判断する。
【００６５】
制御部１０は、選択されているチャンネルがアナログ放送のチャンネルの場合（ステップＳ１０５においてＮＯの場合）には、受信可否を判断するため、水平同期信号が捕捉できたか否かを判断する（ステップＳ１０７）。制御部１０は、水平同期信号が捕捉できたときには、受信可能と判断する。
【００６６】
制御部１０は、受信データ誤り率が規定値以下の場合（ステップＳ１０６においてＹＥＳの場合）、または水平同期信号が捕捉できる場合（ステップＳ１０７においてＹＥＳの場合）には、受信可能と判断して、選択している受信方向の受信方向番号をメモリ１０ｂに格納する（ステップＳ１０８）。
【００６７】
ＭＰＥＧデコーダ２２は、制御部１０からの指令に応じて選択した、デジタルデコーダ１８またはアナログデコーダ２０から受けた信号を映像信号および音声信号に復号する。
【００６８】
ＯＳＤ２２ａは、テレビ４０の画面上に、選択している受信方向を表わす情報および選択しているチャンネルの受信方向の設定に関する情報を表示するための信号を生成する。
【００６９】
ＭＰＥＧデコーダ２２は、復号した映像信号と、ＯＳＤ２２ａが生成した信号とを合成した後、合成した信号と音声信号とをテレビ４０へ出力する（ステップＳ１０９）。
【００７０】
図５は、映像信号、選択している受信方向を表わす情報および選択しているチャンネルの受信方向の設定に関する情報を表示した画面の例を示す図である。
【００７１】
図５を参照して、テレビ４０に、映像信号とともに、選択している受信方向を表わす情報１００、選択しているチャンネルの受信方向をサーチ中である旨のメッセージ９９、および希望の受信方向がきたときにストップキーを入力すべきことを教示するメッセージ９８が表示される。
【００７２】
ユーザは、テレビ４０に表示されている映像信号を見て、選択している受信方向で良いと判断したときには、リモコン４２を通じて受信方向変更中止指令（方向移動ストップキー）を入力する。
【００７３】
制御部１０は、受信方向を切換えてから所定時間経過する前に、リモコン４２を通じてユーザから受信方向変更中止指令を受けた場合（ステップＳ１１０でＹＥＳ、ステップＳ１１２でＮＯの場合）、選択している受信方向を選択されたチャンネルの受信方向として決定する（ステップＳ１１１）。
【００７４】
制御部１０は、受信方向を切換えてから所定時間経過する前に、ユーザから受信方向変更中止命令が入力されない場合（ステップＳ１１０でＮＯ、かつステップＳ１１２でＹＥＳの場合）には、最後の受信方向が選択中か否かを判断する（ステップＳ１１３）。すなわち、制御部１０は、図２に示すように受信方向「１６」を選択中か否かを判断する。
【００７５】
最後の受信方向が選択中でない場合（ステップＳ１１３においてＮＯの場合）には、制御部１０は、次の受信方向番号の受信方向、すなわち、正の回転方向に＋２２．５度変化した受信方向を選択する（ステップＳ１１４）。
【００７６】
以下、上述したステップＳ１０５，Ｓ１０６，Ｓ１０７，Ｓ１０８，Ｓ１０９，Ｓ１１０，Ｓ１１１，Ｓ１１２，Ｓ１１３を、ステップＳ１１１において選択している受信方向番号を選択されたチャンネルの受信方向として決定するか、またはステップＳ１１３において最後の受信方向が選択中となるまで繰返す。
【００７７】
最後の受信方向が選択中の場合（ステップＳ１１３においてＹＥＳの場合）には、制御部１０は、繰返し回数Ｎを１増加させる（ステップＳ１１５）。
【００７８】
制御部１０は、繰返し回数Ｎが３以下の場合（ステップＳ１１６でＮＯの場合）には、
上述したステップＳ１０４，Ｓ１０５，Ｓ１０６，Ｓ１０７，Ｓ１０８，Ｓ１０９，Ｓ１１０，Ｓ１１１，Ｓ１１２，Ｓ１１３，Ｓ１１５，Ｓ１１６を、ステップＳ１１１において選択している受信方向番号を選択されたチャンネルの受信方向として決定するか、またはステップＳ１１６において繰返し回数Ｎが「３」を越えるまで繰返す。
【００７９】
制御部１０は、繰返し回数Ｎが３を越える場合（ステップＳ１１６でＹＥＳの場合）には、メモリ１０ｂに受信方向番号が格納されているか否かを調べる（ステップＳ１１７）。
【００８０】
制御部１０は、メモリ１０ｂに受信方向番号が格納されている場合（ステップＳ１１７でＹＥＳの場合）には、格納されている任意の１つの受信方向番号を選択して、選択した受信方向番号の受信方向を選択しているチャンネルの受信方向に決定する（ステップＳ１１８）。
【００８１】
さらに、制御部１９は、ＯＳＤ２２ａを指示して、選択しているチャンネルの受信方向を自動設定した旨のメッセージをテレビ４０に表示させ、受信方向のサーチを終了する（ステップＳ１１９）。
【００８２】
一方、メモリ１０ｂに受信方向番号が格納されていない場合（ステップＳ１１７でＮＯの場合）には、選択しているチャンネルの受信方向が未決定のままとなり、制御部１０は、ＯＳＤ２２ａを指示して、選択しているチャンネルの受信方向を設定できなかった旨のメッセージをテレビ４０に表示させ、受信方向のサーチを終了する（ステップＳ１２０）。
【００８３】
以上のように、実施の形態１によれば、スマートアンテナの受信方向が自動的に切り替わり、ユーザが所望の受信方向が選択されているときに、方向変更中止命令（方向移動ストップキー）を入力すれば、その受信方向がスマートアンテナの受信方向に決定されるので、ユーザがチャンネルを選択する際に、単純な操作で、ユーザの嗜好に合った受信方向を瞬時に決定することができる。
【００８４】
また、スマートアンテナの受信方向の切換を全方位につき３回行なっても、ユーザの方向変更中止命令（方向移動ストップキー）の入力がない場合に、デジタルチャンネルについては受信データ誤り率が規定値以下の受信方向、アナログチャネルについては水平同期信号が捕捉できた受信方向が自動で取得できた場合には、その受信方向をスマートアンテナの受信方向に決定するので、ユーザの入力がないときには、自動で受信方向を決定することができる。
【００８５】
［実施の形態２］
実施の形態２は、受信データ誤り率が規定値を越えている場合、または水平同期信号が捕捉できなかった場合には、実施の形態１と異なり、ユーザが方向変更中止命令（方向移動ストップキー）を入力するための停止時間を待たずに、即座にスマートアンテナの受信方向を次の受信方向に変更する。
【００８６】
（選局時の方向検索）
以下、ユーザがチャンネルを選択したとき（選局時）に、選択したチャンネルについてのスマートアンテナ３０の受信方向を取得する処理について説明する。
【００８７】
図６は、この発明の実施の形態２に従う選局時の受信方向を決定するプログラムのフローチャートである。
【００８８】
図６を参照して、このフローチャートのステップＳ２０１〜Ｓ２０５、Ｓ２０８〜Ｓ１１９が、実施の形態１の図３に示すフローチャートのステップＳ１０１〜Ｓ１０５、Ｓ１０８〜Ｓ１１９と同一である。このフローチャートのステップＳ２０６およびステップＳ２０７が、図３に示すフローチャートのステップＳ１０６およびＳ１０７と相違する。
【００８９】
以下、この相違する点について説明する。
【００９０】
実施の形態１では、受信データ誤り率が規定値を越えている場合（ステップＳ１０６においてＮＯの場合）、および水平同期信号が捕捉できなかった場合（ステップＳ１０７においてＮＯの場合）にも、ステップＳ１０９、Ｓ１１０、Ｓ１１１、Ｓ１１２が実行された。
【００９１】
したがって、このような場合にも、図５に示すように、テレビ４０に、映像信号とともに、選択している受信方向を表わす情報１００、選択しているチャンネルの受信方向をサーチ中である旨のメッセージ９９、および希望の受信方向がきたときにストップキーを入力すべきことを教示するメッセージ９８が表示された。
【００９２】
そして、ユーザが、テレビ４０に表示されている映像信号を見て、選択している受信方向で良いと判断し、受信方向を切換えてから所定時間内にリモコン４２を通じて受信方向変更中止指令（方向移動ストップキー）を入力すると、選択している受信方向を選択されたチャンネルの受信方向として決定された。また、ユーザが、受信方向を切換えてから所定時間内にリモコン４２を通じて受信方向変更中止指令（方向移動ストップキー）を入力しない場合には、次の受信方向に切換えられた。
【００９３】
これに対して、実施の形態２では、受信データ誤り率が規定値を越えている場合（ステップＳ２０６においてＮＯの場合）、および水平同期信号が捕捉できなかった場合（ステップＳ２０７においてＮＯの場合）には、ステップＳ２０９、Ｓ２１０、Ｓ２１１、Ｓ２１２が実行されない。
【００９４】
したがって、テレビ４０には、図５に示すような画面が表示されず、ユーザからの受信方向変更中止命令（方向移動ストップキー）の入力を受付けず、所定時間待たずに、即座に次の受信方向に変更される。
【００９５】
以上のように、実施の形態２によれば、実施の形態１と同様に、ユーザがチャンネルを選択する際に、単純な操作でユーザの嗜好に合ったスマートアンテナの受信方向を瞬時に決定することができる。また、受信データ誤り率が規定値を越えている場合、または水平同期信号が捕捉できなかった場合には、ユーザは、その受信方向を選択することはありえないと考えられるので、即座に受信方向を切換えることによって、全体としてスマートアンテナの受信方向の決定に要する時間を短縮することができる。
【００９６】
［実施の形態３］
実施の形態３は、ユーザが方向変更中止命令（方向移動ストップキー）を入力するまで、スマートアンテナの受信方向を切換える処理を実行し続ける放送受信装置に関する。
【００９７】
（選局時の方向検索）
以下、ユーザがチャンネルを選択したとき（選局時）に、選択したチャンネルについてのスマートアンテナ３０の受信方向を取得する処理について説明する。
【００９８】
図７は、この発明の実施の形態３に従う選局時の受信方向を決定するプログラムのフローチャートである。
【００９９】
図７を参照して、制御部１０は、リモコン４２を通じてユーザから選局指令、すなわちチャンネルの選択を受け、選択されたチャンネルをチューナ１６に通知する（ステップＳ３０１）。
【０１００】
制御部１０は、ＯＳＤ２２ａを指示して、選択しているチャンネルの受信方向の設定に関する情報を表示させる（ステップＳ３０２）。
【０１０１】
次に、制御部１０は、受信方向番号が「１」である先頭の受信方向を選択する（ステップＳ３０４）。
【０１０２】
受信方向切換部２４は、選択された受信方向への切換信号をスマートアンテナ３０へ出力する。スマートアンテナ３０は、受信方向切換部２４から受信方向切換信号を受けて、各アンテナ素子に対する励振を変化させて指向性を切換える。
【０１０３】
チューナ１６は、スマートアンテナ３０から受信した放送信号の中から、制御部１０から通知されたチャンネルに対応する放送信号を抽出する。チューナ１６は、選択しているチャンネルがデジタル放送のチャンネルの場合には、抽出した放送信号をデジタルデコーダ１８へ出力するとともに、ＭＰＥＧデコーダ２２にデジタルデコーダ１８からの出力を選択させる。また、チューナ１６は、選択しているチャンネルがアナログ放送のチャンネルの場合には、抽出した放送信号をアナログデコーダ２０へ出力するとともに、ＭＰＥＧデコーダ２２にアナログデコーダ２０からの出力を選択させる。
【０１０４】
選択しているチャンネルがデジタル放送のチャンネルの場合に、デジタルデコーダ１８は、チューナ１６から放送信号を受けて、ＭＰＥＧ信号に復号する。
【０１０５】
選択しているチャンネルがアナログ放送のチャンネルの場合に、アナログデコーダ２０は、チューナ１６から放送信号を受けて、映像および音声の信号へ復号した後に、デジタル化した映像音声信号をＭＰＥＧデコーダ２２へ出力する。
【０１０６】
ＭＰＥＧデコーダ２２は、制御部１０からの指令に応じて選択した、デジタルデコーダ１８またはアナログデコーダ２０から受けた信号を映像信号および音声信号に復号する。
【０１０７】
ＯＳＤ２２ａは、テレビ４０の画面上に、選択している受信信号を表わす情報および選択しているチャンネルの受信方向の設定に関する情報を表示するための信号を生成する。
【０１０８】
ＭＰＥＧデコーダ２２は、復号した映像信号と、ＯＳＤ２２ａが生成した信号とを合成した後、合成した信号と音声信号とをテレビ４０へ出力する（ステップＳ１０９）。
【０１０９】
ユーザは、テレビ４０に表示されている映像信号を見て、選択している受信方向で良いと判断したときには、リモコン４２を通じて受信方向変更中止指令（方向移動ストップキー）を入力する。
【０１１０】
制御部１０は、受信方向を切換えてから所定時間経過する前に、リモコン４２を通じてユーザから受信方向変更中止指令を受けた場合（ステップＳ３１０でＹＥＳ、ステップＳ３１２でＮＯの場合）、選択している受信方向を選択されたチャンネルの受信方向として決定する（ステップＳ３１１）。
【０１１１】
制御部１０は、受信方向を切換えてから所定時間経過する前に、ユーザから受信方向変更中止命令が入力されない場合（ステップＳ３１０でＮＯ、かつステップＳ３１２でＹＥＳの場合）には、最後の受信方向が選択中か否かを判断する（ステップＳ３１３）。すなわち、制御部１０は、図２に示すように受信方向「１６」を選択中か否かを判断する。
【０１１２】
最後の受信方向が選択中でない場合（ステップＳ３１３においてＮＯの場合）には、制御部１０は、次の受信方向番号の受信方向、すなわち、正の回転方向に＋２２．５度変化した受信方向を選択する（ステップＳ３１４）。
【０１１３】
以下、上述したステップＳ３０９，Ｓ３１０，Ｓ３１１，Ｓ３１２，Ｓ３１３を、ステップＳ３１１において選択している受信方向番号を選択されたチャンネルの受信方向として決定するか、またはステップＳ３１３において最後の受信方向が選択中となるまで繰返す。
【０１１４】
最後の受信方向が選択中の場合（ステップＳ３１３においてＹＥＳの場合）には、制御部１０は、上述したステップＳ３０４，Ｓ３０９，Ｓ３１０，Ｓ３１１，Ｓ３１２，Ｓ３１３を、ステップＳ３１１において選択している受信方向番号を選択されたチャンネルの受信方向として決定するまで繰返す。
【０１１５】
以上のように、実施の形態３によれば、実施の形態１と同様に、ユーザがチャンネルを選択する際に、単純な操作でユーザの嗜好に合ったスマートアンテナの受信方向を瞬時に決定することができる。また、ユーザが方向変更中止命令（方向移動ストップキー）を入力するまで、スマートアンテナの受信方向を切換える処理を実行するので、ユーザは、自分の嗜好に合った受信方向を探し続けることができる。
【０１１６】
［実施の形態４］
実施の形態４は、選択しているチャンネルの受信方向が自動またはマニュアルで決定されるまで、受信方向のサーチを実行し続ける放送受信装置に関する。
【０１１７】
（選局時の方向検索）
以下、ユーザがチャンネルを選択したとき（選局時）に、選択したチャンネルについてのスマートアンテナ３０の受信方向を取得する処理について説明する。
【０１１８】
図８は、この発明の実施の形態４に従う選局時の受信方向を決定するプログラムのフローチャートである。
【０１１９】
図８を参照して、このフローチャートのステップ４０１〜Ｓ４１９は、実施の形態１の図３に示すフローチャートのステップＳ１０１〜Ｓ１１９と同一である。このフローチャートのステップＳ４２０が、図３に示すフローチャートのステップＳ１２０と相違する。
【０１２０】
以下、この相違する点について説明する。
【０１２１】
実施の形態１では、ステップＳ１２０において、メモリ１０ｂに受信方向番号が格納されていない場合（ステップＳ１１７でＮＯの場合）には、選択しているチャンネルの受信方向が未決定のままとなり、制御部１０は、ＯＳＤ２２ａを指示して、選択しているチャンネルの受信方向を設定できなかった旨のメッセージをテレビ４０に表示させ、受信方向のサーチを終了した。
【０１２２】
つまり、実施の形態１では、選択しているチャンネルの受信方向が決定されずに、受信方向のサーチが終了した。
【０１２３】
これに対して、実施の形態４では、ステップＳ４２０において、メモリ１０ｂに受信方向番号が格納されていない場合（ステップＳ４１７でＮＯの場合）には、制御部１０は、ＯＳＤ２２ａを指示して、選択しているチャンネルの受信方向を設定できなかった旨のメッセージをテレビ４０に表示させ、その後、ステップＳ４０４に戻り、受信方向のサーチを継続する。
【０１２４】
つまり、実施の形態４では、選択しているチャンネルの受信方向が決定されるまで、受信方向のサーチが継続して行なわれる。
【０１２５】
以上のように、実施の形態４によれば、実施の形態１と同様に、ユーザがチャンネルを選択する際に、単純な操作でユーザの嗜好に合ったスマートアンテナの受信方向を瞬時に決定することができる。また、ユーザが方向変更中止命令（方向移動ストップキー）を入力するか、または自動でスマートアンテナの受信方向が決定されるまで、スマートアンテナの受信方向を切換える処理を実行し続けるので、望ましい受信方向を取得することができる。
【０１２６】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１２７】
【図１】この発明の実施の形態１に従う放送受信装置の概略構成図である。
【図２】この発明の実施の形態１に従うスマートアンテナの受信方向切換図である。
【図３】この発明の実施の形態１に従う選局時の受信方向を決定するプログラムのフローチャートである。
【図４】この発明の実施の形態１に従う選択しているチャンネルの受信方向の設定に関する情報を表示した画面の例を示す図である。
【図５】この発明の実施の形態１に従う映像信号、選択している受信方向を表わす情報および選択しているチャンネルの受信方向の設定に関する情報を表示した画面の例を示す図である。
【図６】この発明の実施の形態２に従う選局時の受信方向を決定するプログラムのフローチャートである。
【図７】この発明の実施の形態３に従う選局時の受信方向を決定するプログラムのフローチャートである。
【図８】この発明の実施の形態４に従う選局時の受信方向を決定するプログラムのフローチャートである。
【符号の説明】
【０１２８】
１  放送受信装置、１０  制御部、１０ａ  ＣＰＵ、１０ｂ  メモリ、１６  チューナ、１８  デジタルデコーダ、２０  アナログデコーダ、２２  ＭＰＥＧデコーダ、２２ａ  ＯＳＤ、２４  受信方向切換部、２６  リモコン受信部、３０  スマートアンテナ、４０  テレビ、４２  リモコン、９６〜９９  メッセージ、１００  受信方向を表わす情報。
【図１】
2006042158.tif 000003
【図２】
2006042158.tif 000004
【図３】
2006042158.tif 000005
【図４】
2006042158.tif 000006
【図５】
2006042158.tif 000007
【図６】
2006042158.tif 000008
【図７】
2006042158.tif 000009
【図８】
2006042158.tif 000010